(57)【特許請求の範囲】
【請求項１】
面板部（８ａ）の両側端部を折り曲げて折曲部（８ｂ）およびこの折曲部（８ｂ）端からパネル外方に向かって設けられた係止部（８ｃ）との間に平坦部（８ｄ）を有するパネル材（８Ａ）と、
隣接する前記パネル材（８Ａ）の目地位置に設置される内樋（７）と、
両側に一対の脚部となる側縁部（１ａ）と、その側壁（１ｂ）の上端に頂部を形成する支持部（１ｃ）と、この支持部（１ｃ）を内側下方に折り曲げて形成される凹溝（１ｄ）とからなり、この凹溝（１ｄ）にはおねじ（２）を設けた底板（１ｇ）と前記パネル材（８Ａ）の平坦部（８ｄ）を支持するパネル受け部（１ｈ）とが形成されて、前記内樋（７）を抱持して前記側縁部（１ａ）が躯体側の固定部材（３）に固定される吊り子（１Ａ）と、
前記吊り子（１Ａ）のおねじ（２）を用いて隣接する前記パネル材（８Ａ）の折曲部（８ｂ）間に固定され、前記吊り子（１Ａ）のパネル受け部（１ｈ）に前記パネル材（８Ａ）の平坦部（８ｄ）を面で押し付ける押付板（１０ｄ）が設けられるとともに、前記パネル材（８Ａ）の折曲部（８ｂ）間に収められる対をなす突出部（１０ｅ）が設けられるパネル押さえ金物（１０Ａ）と、
側板部（１３ｂ）に嵌合部（１３ｄ）が設けられており、前記パネル材（８Ａ）の折曲部（８ｂ）間に挿入されて、前記嵌合部（１３ｄ）が前記パネル押さえ金物（１０Ａ）の突出部（１０ｅ）と嵌合されて、隣接するパネル材（８Ａ）間の目地を隠すキャップ部材（１３Ａ）と、
から構成され、前記パネル押さえ金物（１０Ａ）の押付板（１０ｄ）が隣接する前記パネル材（８Ａ）の平坦部（８ｄ）を前記吊り子（１Ａ）のパネル受け部（１ｈ）に押し付けてパネル材（８Ａ）を固定し、かつ、パネル押さえ金物（１０Ａ）の突出部（１０ｅ）に前記キャップ部材（１３Ａ）を嵌合させてなることを特徴とする金属パネル構造。
【請求項２】
前記パネル押さえ金物（１０Ａ）が有する押付板（１０ｄ）にむくり（１０ｆ）を付け、前記押付板（１０ｄ）と前記パネル材（８Ａ）の平坦部（８ｄ）が密着しないようにしたことを特徴とする請求項１記載の金属パネル構造。
【発明の詳細な説明】
【０００１】
【発明の属する技術分野】
本発明は金属パネル構造に係り、主として平坦な外観を呈する建築物の屋根などの外装に用いられる金属パネル構造に関する。
【０００２】
【従来の技術】
外観が平坦な屋根構造の従来技術として、たとえば特公平７−  ４２７８９号公報に建築物の面構造体として開示されているものがある。
その内容は、図７ないし図１３に示すように、母家などの躯体側の固定部材３に両側縁部１ａを固定し、これらの側縁部１ａ間に突出した支持部１ｃの幅方向中央部に凹溝１ｄを形成し、この凹溝１ｄの底板１ｇにおねじ２を設けた短寸の吊り子１と、前記吊り子１と固定部材３との間に設けるとともに、吊り子１の凹溝１ｄを包囲し、かつ、吊り子１の支持部１ｃによって両側部を前記固定部材３に押し付けて固定した内樋７と、面板部８ａの両側部が前記吊り子１の支持部１ｃで支持され、前記面板部８ａの両側部から前記支持部１ｃ側に折り曲げた折曲部８ｂを形成し、この折曲部８ｂから折り返した係止部８ｃを前記吊り子１の凹溝１ｄの底板１ｇで支持した面板単体部材（縦葺き屋根板、以下単にパネル材という）８と、隣接する前記パネル材８の折曲部８ｂ間に介在させ、かつ、中央部に締付板部１０ａを有する押付部材（以下、パネル押さえ金物という）１０とカバー保持部材１１とをそれぞれ設けるとともに、これらを、前記吊り子１の凹溝１ｄに設けたスタッドボルトなどのおねじ２とこのおねじ２にねじ嵌合するナットなどのめねじ１２とによって共締めするパネル押さえ金物１０およびカバー保持部材１１と、隣接する前記パネル材８の折曲部８ｂ間に側板部１０ｃを嵌め、これらの側板部１０ｃの対向面に突出させた突起部１１ｄを前記カバー保持部材１１の締付板部１１ａから前記パネル材８の面板部８ａ側に折り曲げた側板部１１ｃに設けた突出部１１ｄにそれぞれ係合弾持させた目地カバー（以下、キャップ部材という）１３とを備え、前記パネル押さえ金物１０の締付板部１０ａから前記吊り子１側に折り曲げた側板部１０ｃによって隣接する前記パネル材８の係止部８ｃを吊り子１の凹溝の底１ｇに押し付けて固定したことを特徴とする建築物の面構造体である。
【０００３】
なお、躯体側の固定部材３と吊り子１との間に野地板４とアスファルトルーフィング５とを介在させてボルト等の固定具６で固定してもよく、またパネル材８の面板部８ａ裏面と吊り子１の支持部１ｃとの間および野地板４との間にバックアップ材９を介在させるようにしてもよい。
【０００４】
【発明が解決しようとする課題】
しかしながら、上記した従来技術では、パネル材８を固定するパネル押さえ金物１０とキャップ部材１３を止めるためのカバー保持部材１１が別個であるため、実際の組み立てをするにあたって手間がかかり作業性がよくないという問題があった。また、施工精度のばらつきにより隣接するパネル材８の間隔が狭くなった場合、パネル押さえ金物１０を吊り子１のおねじ２に固定する際、パネル押さえ金物１０の側板部１０ｃの角がパネル材８の折曲部８ｂを傷付けてしまうことになるから、パネル材８にたとえば塗装鋼板や亜鉛めっき鋼板などを用いた場合は、傷の部分から腐食が進行する恐れがあった。
【０００５】
本発明は、上記のような従来技術の有する課題を解決すべくなされたものであって、組立作業性および耐腐食性にすぐれた外観が平坦な金属パネル構造を提供することを目的とする。
【０００６】
【課題を解決するための手段】
上記の課題を解決するために、本発明の金属パネル構造は、面板部（８ａ）の両側端部を折り曲げて折曲部（８ｂ）およびこの折曲部（８ｂ）端からパネル外方に向かって設けられた係止部（８ｃ）との間に平坦部（８ｄ）を有するパネル材（８Ａ）と、隣接する前記パネル材（８Ａ）の目地位置に設置される内樋（７）と、両側に一対の脚部となる側縁部（１ａ）と、その側壁（１ｂ）の上端に頂部を形成する支持部（１ｃ）と、この支持部（１ｃ）を内側下方に折り曲げて形成される凹溝（１ｄ）とからなり、この凹溝（１ｄ）にはおねじ（２）を設けた底板（１ｇ）と前記パネル材（８Ａ）の平坦部（８ｄ）を支持するパネル受け部（１ｈ）とが形成されて、前記内樋（７）を抱持して前記側縁部（１ａ）が躯体側の固定部材（３）に固定される吊り子（１Ａ）と、前記吊り子（１Ａ）のおねじ（２）を用いて隣接する前記パネル材（８Ａ）の折曲部（８ｂ）間に固定され、前記吊り子（１Ａ）のパネル受け部（１ｈ）に前記パネル材（８Ａ）の平坦部（８ｄ）を面で押し付ける押付板（１０ｄ）が設けられるとともに、前記パネル材（８Ａ）の折曲部（８ｂ）間に収められる対をなす突出部（１０ｅ）が設けられるパネル押さえ金物（１０Ａ）と、側板部（１３ｂ）に嵌合部（１３ｄ）が設けられており、前記パネル材（８Ａ）の折曲部（８ｂ）間に挿入されて、前記嵌合部（１３ｄ）が前記パネル押さえ金物（１０Ａ）の突出部（１０ｅ）と嵌合されて、隣接するパネル材（８Ａ）間の目地を隠すキャップ部材（１３Ａ）と、から構成され、前記パネル押さえ金物（１０Ａ）の押付板（１０ｄ）が隣接する前記パネル材（８Ａ）の平坦部（８ｄ）を前記吊り子（１Ａ）のパネル受け部（１ｈ）に押し付けてパネル材（８Ａ）を固定し、かつ、パネル押さえ金物（１０Ａ）の突出部（１０ｅ）に前記キャップ部材（１３Ａ）を嵌合させてなることを特徴とする。
【０００７】
また、本発明は、前記パネル押さえ金物（１０Ａ）が有する押付板（１０ｄ）にむくり（１０ｆ）を付け、前記押付板（１０ｄ）と前記パネル材（８Ａ）の平坦部（８ｄ）が密着しないようにしたことを特徴とする。
【０００８】
【発明の実施の形態】
以下に、本発明の好適な実施の形態について、図１ないし図５を参照して詳しく説明する。
図１は本発明の要部を示す断面図で、図２ないし図５は各部の詳細を示す斜視図である。なお、図中における従来例と同一な部材には同一符号を付して説明を省略する。
【０００９】
本発明の金属パネル構造は、従来例と比べて、吊り子１Ａとパネル材（縦葺き屋根板）８Ａとパネル押さえ金物（押付部材）１０Ａとキャップ部材（目地カバー）１３Ａとにおいて、その構成が以下のようにそれぞれ異なっている。
すなわち、吊り子１Ａは、両側に一対の脚部となる側縁部１ａと、その側壁１ｂの上端に頂部を形成する支持部１ｃと、この支持部１ｃを内側下方に折り曲げて形成される凹溝１ｄとからなり、この凹溝１ｄにはおねじ２を設けた底板１ｇと後述するパネル材８Ａの平坦部を支持するパネル受け部１ｈとが形成される。
【００１０】
パネル材８Ａは、面板部８ａの両側端部を折り曲げて折曲部８ｂおよび折曲部８ｂ端からパネル外方に向かって設けられた係止部８ｃとの間に平坦部８ｄが設けられる。
パネル押さえ金物１０Ａは、吊り子１Ａのおねじ２を用いて隣接するパネル材８Ａの折曲部８ｂ間に固定され、吊り子１Ａのパネル受け部１ｈにパネル８Ａの平坦部８ｄを面で押し付ける押付板１０ｄが設けられるとともに、パネル材８Ａの折曲部８ｂ間に収められる対をなす突出部１０ｅが設けられる。
【００１１】
キャップ部材１３Ａは、側板部１３ｂにその内側に折り曲げられた嵌合部１３ｄが設けられており、パネル材８Ａの折曲部８ｂ間に挿入されて、嵌合部１３ｄがパネル押さえ金物１０Ａの突出部１０ｅと嵌合されることによって、隣接するパネル材８Ａ間の目地を隠すことができる。
このように構成される各部材を用いて本発明の金属パネル構造を組み立てるときは、つぎの手順に従って施工する。
【００１２】
まず、母家などの躯体側の固定部材３の上に野地板４を敷設し、内樋７の断面を抱持して野地板４間に固定するように吊り子１Ａをセットし、その側縁部１ａをタッピングねじなどの固定具６で締め付けて吊り子１Ａを固定する。ついで、この吊り子１Ａの両側に発泡樹脂などのバックアップ材９で補強されたパネル材８Ａを配設し、パネル材８Ａの折曲部８ｂからの平坦部８ｄを吊り子１Ａのパネル受け部１ｈ上に設置する。
【００１３】
そして、吊り子１Ａに取り付けられたスタッドボルトなどのおねじ２にパネル押さえ金物１０Ａを装着してナットなどのめねじ１２で固定することにより、その押付板１０ｄで前記パネル受け部１ｈを押さえ付ける。さらに、パネル材８Ａ間の目地部分にキャップ部材１３Ａを嵌め込み、その嵌合部１３ｄをパネル押さえ金物１０Ａの突出部１０ｅに嵌合させる。
【００１４】
これにより、本発明の金属パネル構造は、従来例に比べて少ない部品点数で組み立てが簡便となり、作業性が改善される。また、実際の施工により隣接するパネル材８Ａの間隔が多少狭くなった場合でも、パネル押さえ金物１０Ａの押付板１０ｄが隣接するパネル材８Ａの平坦部８ｄを吊り子１Ａのパネル受け部１ｈに押し付けるため、パネル材８Ａを傷つけることなく、かつ、強固に固定することができる。
【００１５】
なお、図６に示すように、パネル押さえ金物１０Ａの押付板１０ｄにむくり１０ｆをつけることにより、押付板１０ｄとパネル材８Ａの平坦部８ｄとが密接している場合に、押付板１０ｄの周囲に埃や塵などのごみが溜まることがないから、それらによる腐食を避けることができる。
【００１６】
【発明の効果】
以上説明したように、本発明では、パネル押さえ金物が従来のキャップ部材の嵌合部材を兼用するように構成したので、部品の数が少なくなり、これによって組み立てが簡便になって作業性がよくなる。また、パネル材を傷つけないように固定することができるので、腐食に対する安全性を高めることが可能である。
【図面の簡単な説明】
【図１】本発明の要部を示す断面図である。
【図２】本発明に用いられる吊り子の詳細を示す斜視図である。
【図３】本発明に用いられるパネル材の詳細を示す斜視図である。
【図４】本発明に用いられるパネル押さえ金物の詳細を示す斜視図である。
【図５】本発明に用いられるキャップ部材の詳細を示す斜視図である。
【図６】本発明に用いられるパネル押さえ金物の他の例を示す斜視図である。
【図７】従来例の要部を示す断面図である。
【図８】従来例の吊り子の詳細を示す斜視図である。
【図９】従来例の内樋の詳細を示す斜視図である。
【図１０】従来例のパネル材の詳細を示す斜視図である。
【図１１】従来例のキャップ部材の詳細を示す斜視図である。
【図１２】従来例の嵌合部材の詳細を示す斜視図である。
【図１３】従来例のキャップ部材の詳細を示す斜視図である。
【符号の説明】
１Ａ  吊り子
１ａ  側縁部
１ｂ  側壁
１ｃ  支持部
１ｄ  凹溝
１ｇ  底板
１ｈ  パネル受け部
２  おねじ
３  躯体側の固定部材
４  野地板
６  固定具
７  内樋
８Ａ  パネル材（縦葺き屋根板）
８ａ  面板部
８ｂ  折曲部
８ｃ  係止部
８ｄ  平坦部
９  バックアップ材
１０Ａ    パネル押さえ金物（押付部材）
１０ａ  締付板部
１０ｂ  押付部材
１０ｃ  側板部
１０ｄ  押付板
１０ｅ  突出部
１０ｆ  むくり
１１    カバー保持部材
１２    めねじ
１３Ａ    キャップ部材（目地カバー）
１３ａ  天板部
１３ｂ  側板部
１３ｄ  嵌合部
【図１】
0003557771.tif 000002
【図２】
0003557771.tif 000003
【図３】
0003557771.tif 000004
【図４】
0003557771.tif 000005
【図５】
0003557771.tif 000006
【図６】
0003557771.tif 000007
【図７】
0003557771.tif 000008
【図８】
0003557771.tif 000009
【図９】
0003557771.tif 000010
【図１０】
0003557771.tif 000011
【図１１】
0003557771.tif 000012
【図１２】
0003557771.tif 000013
【図１３】
0003557771.tif 000014